(57)【要約】【課題】フォーカルプレンシャッタの周辺で発生する塵の飛散を抑制することができるフォーカルプレンシャッタを提供する。【解決手段】露光用の開口部を有する地板と、前記開口部を覆う状態と開放する状態とを切り替えるシャッタ羽根と、前記シャッタ羽根を動作させる制御部と、を備え、前記地板には貫通孔が形成されており、前記地板の一面には、前記貫通孔が形成された領域を覆うように粘着部材が配置されているフォーカルプレンシャッタを採用する。【選択図】図１
2017067875.tif 000002
【特許請求の範囲】
【請求項１】
露光用の開口部を有する地板と、
前記開口部を覆う状態と開放する状態とを切り替えるシャッタ羽根と、
前記シャッタ羽根を動作させる制御部と、を備え、
前記地板には貫通孔が形成されており、
前記地板の一面には、前記貫通孔が形成された領域を覆うように粘着部材が配置されている
フォーカルプレンシャッタ。
【請求項２】
前記貫通孔が、０．２ｍｍ以上２ｍｍ以下の径の孔である
請求項１に記載のフォーカルプレンシャッタ。
【請求項３】
連結軸を介して前記シャッタ羽根と連結され、かつ前記制御部と連結されたアームをさらに備え、
前記貫通孔は、動作時における前記連結軸の移動範囲領域と略同領域に形成されている
請求項１または請求項２に記載のフォーカルプレンシャッタ。
【請求項４】
請求項１〜請求項３のいずれか１項に記載のフォーカルプレンシャッタを備えるカメラ。
【発明の詳細な説明】
【技術分野】
【０００１】
本発明の一態様は、カメラ用フォーカルプレンシャッタ（フォーカルプレーンシャッタともいう）、及びこのフォーカルプレンシャッタを備えるカメラに関する。
【背景技術】
【０００２】
デジタルカメラなどに用いられるフォーカルプレンシャッタの中には、先羽根と後羽根との２つ（または２組）のシャッタ羽根を備え、これらのシャッタ羽根が、シャッタ地板と補助地板との間に形成された羽根室に配置された構成のものがある。シャッタ羽根は、その一端が、シャッタ地板に枢着されたアームにリベット部品である連結軸を介して連結されている。シャッタ羽根は、アームの移動に伴って移動することで、シャッタ地板及び補助地板に形成された開口部を開閉する。このようにシャッタ羽根が動作するとき、シャッタ羽根やアームが互いに、またはその他の部材と摺動することとなるが、このときに微細な摩耗粉が発生することがあった。このような摩耗粉の対策として、特許文献１には、摩耗粉が撮像面に付着することを防止する構成について開示されている。特許文献２には、発生した摩耗粉を粘着剤により付着させることで撮像面に摩耗粉が付着することを防止する構成について開示されている。
【先行技術文献】
【特許文献】
【０００３】
【特許文献１】特開２００２−３４１４００号公報
【特許文献２】特開２００２−３５０９２６号公報
【発明の概要】
【発明が解決しようとする課題】
【０００４】
上記構成のフォーカルプレンシャッタでは、確かに摩耗粉が撮像面に付着することを軽減させることが可能ではあったが、さらに摩耗粉などの塵を減少させることに対する要望があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
露光用の開口部を有する地板（１、５）と、
前記開口部を覆う状態と開放する状態とを切り替えるシャッタ羽根（７）と、
前記シャッタ羽根を動作させる制御部（４）と、を備え、
前記地板には貫通孔（３）が形成されており、
前記地板の一面には、前記貫通孔が形成された領域を覆うように粘着部材（１１、１２）が配置されている
フォーカルプレンシャッタである。
【０００７】
上記構成のフォーカルプレンシャッタによれば、粘着部材に加え、貫通孔が形成されているため、フォーカルプレンシャッタ内で発生する塵や、フォーカルプレンシャッタ外から飛散してくる塵を、再飛散を防止しながら捕獲することが可能となる。
【０００８】
上記フォーカルプレンシャッタにおいて、好ましくは、
前記貫通孔が、０．２ｍｍ以上２ｍｍ以下の径の孔である。
【０００９】
上記構成のフォーカルプレンシャッタによれば、フォーカルプレンシャッタ近傍で発生する最大０．２ｍｍ程度の塵を貫通孔に進入させながら粘着部材に効果的に付着させる構成とすることが可能となる。
【００１０】
上記フォーカルプレンシャッタにおいて、好ましくは、
連結軸を介して前記シャッタ羽根と連結され、かつ前記制御部と連結されたアームをさらに備え、
前記貫通孔は、動作時における前記連結軸の移動範囲領域と略同領域に形成されている。
【００１１】
上記構成のフォーカルプレンシャッタによれば、塵が比較的発生しやすい連結軸から発生した塵が、連結軸の移動範囲に形成された貫通孔に進入しやすい構成となるため、さらに効果的に、粘着部材に塵を付着させやすい構成とすることが可能となる。
【００１２】
上記いずれかのフォーカルプレンシャッタは、カメラに好適に適用される。
【００１３】
上記のようなカメラによれば、フォーカルプレンシャッタ周辺に塵が飛散することを防止することが可能となり、撮像素子に塵が付着することを抑制することが可能となる。これにより、カメラで撮像される画像の品質を向上させることなどが可能となる。
【図面の簡単な説明】
【００１４】
【図１】フォーカルプレンシャッタの斜視図。
【図２】フォーカルプレンシャッタの断面図。
【発明を実施するための形態】
【００１５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１６】
＜１．実施形態＞
本実施形態のフォーカルプレンシャッタは、デジタルカメラなどで利用されるものであり、フォーカルプレンシャッタから発生する塵、及び、例えば一眼レフのミラー作動により発生する塵などのフォーカルプレンシャッタ外で発生する塵を捕獲するための構成に特徴がある。具体的には、本実施形態のフォーカルプレンシャッタは、シャッタ地板に貫通孔が形成され、さらに粘着テープが配置されている点がその特徴である。
【００１７】
図１は、本実施形態のフォーカルプレンシャッタの斜視図である。図２は、本実施形態のフォーカルプレンシャッタの断面図である。
【００１８】
図１及び図２に示されるように、本実施形態のフォーカルプレンシャッタは、シャッタ地板１、制御部４、補助地板５、シャッタ羽根７、粘着テープ１１、及び粘着テープ１２を含んで構成される。さらに、本実施形態のフォーカルプレンシャッタは、図示していないが、シャッタ羽根７と制御部４との間に配置されるアームを備える。
【００１９】
＜シャッタ地板１、開口部２＞
シャッタ地板１は、その略中央部分に開口部２が形成されている。ただし、開口部２は必ずしもシャッタ地板１の中央部分に形成される必要はなく、シャッタ地板１の内側に形成されればよい。シャッタ地板１の背面側には、所定の間隔を空けて、補助地板５が配置され、このシャッタ地板１と補助地板５との間の空間が羽根室となっている。なお、シャッタ地板１と補助地板５との間には、中間板が配置される構成としてもよい。この場合、シャッタ地板１と中間板との間、及び中間板と補助地板５との間のそれぞれの空間が先羽根用、及び後羽根用の羽根室となる。
【００２０】
シャッタ地板１には、その全面に貫通孔３が形成されており、これらの貫通孔３は粘着テープ１１により覆われている。粘着テープ１１は、シャッタ地板１の、羽根室を画定する面とは異なる面に配置される。
【００２１】
＜貫通孔３＞
貫通孔３は、シャッタ地板１を貫通するように形成された穴であり、０．２ｍｍ〜２ｍｍの径の円柱状の穴となっている。貫通孔３は、羽根室に配置されたシャッタ羽根７や、シャッタ羽根７とアームとを連結する連結軸から発生する塵などを進入させ、その先にある粘着テープ１１に付着させるよう機能する。ここで、フォーカルプレンシャッタ周辺で発生する塵は、プラスチック部品から発生する摩耗粉などの塵、塗料、金属粉、及び各構成の摺動部に塗布されている潤滑油（オイル、グリス、及び潤滑成分を含有したドライまたはハーフウェットタイプの潤滑油など）などであって、２００μｍ以下程度（例えば２００μｍ以下、更に具体的には３〜２００μｍ程度（例えば３〜２００μｍ））の大きさになることが多いため、最も大きい塵が進入可能なように０．２ｍｍ以上の径を持たせることが好ましい。一方で、貫通孔３の径が大きくなりすぎると、シャッタ羽根７とアームとを連結する連結孔が動作する際に引っかかる場合があるため、１ｍｍまたは２ｍｍ程度までの大きさとすることが好ましい。さらに、粘着テープ１１に付着した塵が再飛散することを防止するためには、０．５ｍｍ以下にすることがより好ましい。また、貫通孔３の数が多すぎるとシャッタ地板１の強度が弱くなってしまうため、５ｍｍ角の面積内に５つ程度の貫通孔３を形成することが好ましい。
【００２２】
さらに、本実施形態では、シャッタ地板１の全面に貫通孔３が形成される構成を具体例として挙げているが、シャッタ地板１において、シャッタ羽根７とアームとを連結する連結軸が移動する範囲（作動軌跡の範囲領域）をカバーするよう、連結軸の移動範囲と略重なる領域に貫通孔３を形成してもよい。このように貫通孔３を形成すると、塵が発生しやすい連結軸から発生した塵を効果的に貫通孔３に進入させながら粘着テープ１１に付着させやすい構造とすることができる。
【００２３】
＜粘着テープ１１＞
粘着テープ１１は、本発明における粘着部材の一例であって、シャッタ地板１において羽根室を形成する面とは異なる面に貼り付けられることで配置される。粘着テープ１１は、その両面が粘着性を有するように、例えば粘着剤が塗布されている。なお、粘着テープ１１は、必ずしも市販の粘着テープや両面テープなどである必要はなく、塵を付着させる特性を有するシート状の部材であればよい。
【００２４】
＜制御部４＞
制御部４は、フォーカルプレンシャッタにおいてシャッタ羽根７を動作させるための機構が内蔵された機械及び電気部品であり、機械的または電気的にシャッタ羽根を動作させるよう機能する。制御部４の機能及び構成については、従来技術としても記載されており、当業者であれば当然に理解可能であるため、ここではその詳細な説明を省略する。制御部４は、シャッタ羽根７と連結軸を介して連結されたアームを動作させ、これによってシャッタ羽根７の動作を制御する。
【００２５】
＜補助地板５＞
補助地板５は、シャッタ地板１に対向する位置に配置され、シャッタ地板１と略同じ大きさで形成されている。補助地板５には、シャッタ地板１に形成された開口部２と重なり合うように、開口部（図示せず）が形成されている。補助地板５には、その全面に貫通孔６が形成されており、これらの貫通孔６は粘着テープ１２により覆われている。粘着テープ１２は、補助地板５の、羽根室を画定する面とは異なる面に配置される。
【００２６】
＜貫通孔６＞
貫通孔６は、補助地板５を貫通するように形成された穴であり、０．２ｍｍ〜２ｍｍの径の円柱状の穴となっている。貫通孔６は、シャッタ地板１に形成された貫通孔３と同様の形状、配置、及び機能となっている。
【００２７】
＜粘着テープ１２＞
粘着テープ１２は、本発明における粘着部材の一例であって、補助地板５において羽根室を形成する面とは異なる面に貼り付けられることで配置される。粘着テープ１２は、粘着テープ１１と同様の形状、配置、及び機能となっている。
【００２８】
＜シャッタ羽根７＞
シャッタ羽根７は、その動作によりフォーカルプレンシャッタの開口部（開口部２を含む）を覆う状態と開放する状態とを切り替えるよう構成され、シャッタ地板１と補助地板５との間に形成される羽根室に配置される。本実施形態のフォーカルプレンシャッタを備えるカメラでは、シャッタ羽根７が動作することで露光が行われ、開口部の先に配置された撮像素子（受光素子）が被写体を撮像することとなる。既に説明したように、シャッタ羽根７は、連結軸を介してアームに連結され、制御部４により動作させられたアームに伴って動作する。シャッタ羽根７は、それぞれ１枚以上の羽根を備える先羽根及び後羽根を含んでいる。シャッタ羽根７とアームとを連結する連結軸は、リベット部材であって、その先端がアーム側から挿入され、シャッタ羽根７にかしめられている。連結軸のかしめ部は、シャッタ羽根７の摺動面から突き出る領域が小さくなるようになっている。
【００２９】
本実施形態のフォーカルプレンシャッタは、上記のように、粘着テープ１１及び１２並びに貫通孔３及び６を備える構成としたことにより、一度粘着テープ１１または１２に付着した塵が再飛散することを防止しやすい構造となっている。このような構成とすることで、貫通孔３及び６、並びに粘着テープ１１及び１２の作用により、フォーカルプレンシャッタ内に発生する塵や、フォーカルプレンシャッタ外から飛散してくる塵を、再飛散を防止しながら捕獲することなどが可能となる。これにより、本実施形態のフォーカルプレンシャッタを含むカメラにおいて、開口部の先に配置された撮像素子に塵が付着することを防止し、撮像された画像の画質を向上させることなどが可能となる。
【００３０】
＜２．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００３１】
上記の本実施形態のフォーカルプレンシャッタでは、シャッタ地板１と補助地板５とを備える構成を具体例として挙げて説明したが、本発明では、その間に中間板を配置する構成としてもよい。この場合、中間板には必ずしも貫通孔を設ける必要はない。
【００３２】
また、本実施形態において粘着部材として機能する粘着テープ１１及び１２は、粘着性を備える部材によって構成されている例を挙げて説明したが、本発明では、例えば、静電性を備えることで塵を付着させる構成のものを採用してもよい。
【００３３】
また、本発明では、シャッタ地板１及び補助地板５に形成される貫通孔は、必ずしも円柱状の穴である必要はなく、楕円状や多角形状に形成されてもよい。
【００３４】
本実施形態において、フォーカルプレンシャッタに備えられるシャッタ羽根７は、先羽根と後羽根とを含む複数のシャッタ羽根の例を挙げて説明したが、本発明では、開口部を覆う状態と開放する状態とを切り替えられれば、複数のシャッタ羽根を採用することに限られず、複数でないシャッタ羽根を採用してもよい。
【００３５】
本実施形態において、フォーカルプレンシャッタに備えられる貫通孔６は、複数の貫通孔が備えられる例を挙げて説明したが、本発明では、フォーカルプレンシャッタ内で発生する塵や、フォーカルプレンシャッタ外から飛散してくる塵を、再飛散を防止しながら捕獲できれば、複数の貫通孔を採用することに限られず、複数でない貫通孔を採用してもよい。
【００３６】
本実施形態のフォーカルプレンシャッタは、矩形状部分を備えるシャッタ羽根７が略平行移動することで開口部を開閉する所謂平行リンク方式のものを想定した記載となっているが、本発明は平行リンク方式のものに限定されるものではない。本発明は、分割羽根が回転移動することで開口部（画枠）を開放閉鎖する構成のフォーカルプレンシャッタをも含む。
【００３７】
また、本実施形態のフォーカルプレンシャッタでは、シャッタ地板１及び補助地板５の双方に貫通孔及び粘着テープ（粘着部材）が設けられる構成を具体例として説明したが、本発明では、シャッタ地板１及び補助地板５のいずれか一方に貫通孔及び粘着テープ（粘着部材）が設けられる構成をも含む。すなわち、本発明では、シャッタ地板１または補助地板５の少なくとも一方に貫通孔及び粘着部材を備える構成を含み、このような構成であっても一定の効果が得られる。
【産業上の利用可能性】
【００３８】
本発明は、カメラ用の（例えばデジタルカメラ（例えば、デジタル一眼レフカメラ、 ミラーレス一眼カメラ、 コンパクトカメラ）用の）フォーカルプレンシャッタなどとして好適に適用される。
【符号の説明】
【００３９】
１…シャッタ地板
２…開口部
３…貫通孔
４…制御部
５…補助地板
６…貫通孔
７…シャッタ羽根
１１…粘着テープ
１２…粘着テープ
【図１】
2017067875.tif 000003
【図２】
2017067875.tif 000004